(57)【要約】【課題】予め適宜脱水した処理汚泥を乾燥用容器にできる限り平らに均した状態に薄く搬入できる乾燥用容器への処理汚泥の自動搬入方法を提供する。【解決手段】乾燥用容器１の床面積及び深さと同一もしくは略同一の床面積及び深さをもつ定量枡６と、この定量枡６の底開口部６ａを閉じるスライド板７とが集積槽５の下方位置にあるとき、シャッター９を開けて集積槽５の底開口部５ａから処理汚泥４を定量枡６に落し込んで収容し、次いで、シャッター９を閉じて定量枡６をスライド板７ごと乾燥用容器１の上方位置にまで搬送する。次いで、スライド板７を開けることにより定量枡６の開放底６ａから処理汚泥４がまとまって一時に乾燥用容器１に落下収容される。【選択図】図２
2007160213.tif 000002
【特許請求の範囲】
【請求項１】
予め適宜脱水処理された処理汚泥を乾燥用容器に搬入する乾燥用容器への処理汚泥の自動搬入方法であって、
処理汚泥が集積され、底開口部をシャッターで開閉可能にした集積槽と、搬入作業定位置に配置した前記乾燥用容器と、前記乾燥用容器の床面積及び深さと同一もしくは略同一の床面積及び深さを持ち且つ底開放状の定量枡と、この定量枡の開放底を開閉するスライド板と、前記定量枡を前記スライド板ごと前記乾燥用容器の上方位置と集積槽の下方位置との間で進退移動させる定量枡搬送装置と、を備え、
前記定量枡及びスライド板が前記集積槽の下方位置にあるとき前記シャッターを開けて前記集積槽の底開口部から処理汚泥を前記定量枡に収容し、次いで、前記シャッターを閉じ、前記定量枡を前記スライド板ごと前記乾燥用容器の上方位置にまで搬送し、次いで、前記スライド板を開けることにより前記定量枡の開放底から処理汚泥がまとまって一時に前記乾燥用容器に落下収容されることを特徴とする、乾燥用容器への処理汚泥の自動搬入方法。
【請求項２】
予め適宜脱水処理された処理汚泥を乾燥用容器に搬入する乾燥用容器への処理汚泥の自動搬入装置であって、
処理汚泥が集積され、底開口部をシャッターで開閉可能にした集積槽と、搬入作業定位置に配置した前記乾燥用容器と、前記乾燥用容器の床面積及び深さと同一もしくは略同一の床面積及び深さを持ち且つ底開放状の定量枡と、この定量枡の開放底を開閉するよう該開放底に配備したスライド板と、前記定量枡を前記スライド板ごと前記乾燥用容器の上方位置と集積槽の下方位置との間で進退移動させる定量枡搬送装置と、を備えていることを特徴とする、乾燥用容器への処理汚泥の自動搬入装置。
【請求項３】
前記定量枡が枠とこの枠内を縦横に仕切る仕切板で格子状に形成されている、請求項２記載の乾燥用容器への処理汚泥の自動搬入装置。
【発明の詳細な説明】
【技術分野】
【０００１】
本発明は、天日乾燥による汚泥脱水乾燥装置に使用される乾燥用容器に、予め適宜脱水処理された処理汚泥を自動搬入する方法および装置に関する。
【背景技術】
【０００２】
浄水場や下水処理場、あるいは河川、ため池などで発生する汚泥を天日乾燥させるための汚泥脱水乾燥装置として、先に同一出願人により、図５に示すように、複数の乾燥棚２１〜２４を上下に所定間隔を置いて数段階に重合配置し、乾燥棚２１〜２４の両端部に汚泥を収容する乾燥用容器（濾過容器）２０を各段の乾燥棚の高さまで昇降させるリフター装置２５Ｌ，２５Ｒを配置させて、汚泥入り乾燥用容器２０を下段の乾燥棚から上段の乾燥棚へリフター装置２５Ｌ，２５Ｒにより順次移動させながら天日乾燥できるようにしたものを提案した（例えば、特許文献１参照。）。
【０００３】
【特許文献１】特許第３６１６７３８号公報
【発明の開示】
【発明が解決しようとする課題】
【０００４】
しかるに、上記のような多段式の汚泥脱水乾燥装置では、複数の乾燥棚２１〜２４を上下に数段階に重合配置するため、大量汚泥を天日乾燥する場合にも敷地面積の有効利用を図れるが、水中から汲み上げられた含水率９５〜９７％の高含水汚泥を天日乾燥させるため、天日乾燥日数が長くかかるという問題がある。そこで、この多段式の汚泥脱水乾燥装置で天日乾燥させるに先立ち、脱水機械等で含水率９５〜９７％の高含水汚泥を８２〜８６％程度にまで脱水処理したうえで、この処理汚泥を乾燥用容器２０に搬入してこれを多段式の汚泥脱水乾燥装置に移すことにより天日乾燥させることが、天日乾燥日数を短縮化することができて望ましい。
しかしながら、そうした場合、問題となるのは、予め脱水処理した汚泥も乾燥用容器２０に山、谷のある凸凹状態や山盛り状態に搬入させては汚泥層中心部まで乾燥させる日数が多くかかり、所期の乾燥日数短縮目的を達成できないことになる。
【０００５】
そこで本発明の目的は、予め適宜脱水処理した汚泥を乾燥用容器にできる限り均一に均した状態に薄く収容できる乾燥用容器への処理汚泥の自動搬入方法および自動搬入装置を提供することにある。
【課題を解決するための手段】
【０００６】
本発明の請求項１に係る発明は、予め適宜脱水処理された処理汚泥を乾燥用容器に搬入する乾燥用容器への処理汚泥の自動搬入方法であって、処理汚泥が集積され、底開口部をシャッターで開閉可能にした集積槽と、搬入作業定位置に配置した前記乾燥用容器と、前記乾燥用容器の床面積及び深さと同一もしくは略同一の床面積及び深さを持ち且つ底開放状の定量枡と、この定量枡の開放底を開閉するスライド板と、前記定量枡を前記スライド板ごと前記乾燥用容器の上方位置と集積槽の下方位置との間で進退移動させる定量枡搬送装置と、を備え、前記定量枡及びスライド板が前記集積槽の下方位置にあるとき前記シャッターを開けて前記集積槽の底開口部から処理汚泥を前記定量枡に収容し、次いで、前記シャッターを閉じて前記定量枡を前記スライド板ごと前記乾燥用容器の上方位置にまで搬送し、次いで、前記スライド板を開けることにより前記定量枡の開放底から処理汚泥がまとまって一時に前記乾燥用容器に落下収容されることに特徴を有するものである。
【０００７】
本発明の請求項２に係る発明は、予め適宜脱水処理された処理汚泥を乾燥用容器に搬入する乾燥用容器への処理汚泥の自動搬入装置であって、処理汚泥が集積され、底開口部をシャッターで開閉可能にした集積槽と、搬入作業定位置に配置した前記乾燥用容器と、前記乾燥用容器の床面積及び深さと同一もしくは略同一の床面積及び深さを持ち且つ底開放状の定量枡と、この定量枡の開放底を開閉するよう該開放底に配備したスライド板と、前記定量枡を前記スライド板ごと前記乾燥用容器の上方位置と集積槽の下方位置との間で進退移動させる定量枡搬送装置と、を備えていることに特徴を有するものである。
【０００８】
この場合、前記定量枡は、請求項３記載の発明のように、枠とこの枠内を縦横に仕切る仕切板で格子状に形成することができる。
【発明の効果】
【０００９】
本発明の請求項１、２に記載の発明によれば、一旦、集積槽内の処理汚泥を乾燥用容器の床面積及び高さと同一もしくは略同一の床面積及び高さを持ち且つ開放底をスライド板で開閉可能に閉じた定量枡に収容し、しかる後スライド板を開けることにより定量枡の開放底から処理汚泥がまとまって一時に乾燥用容器内に落下収容されるようにしてあるので、処理汚泥を乾燥用容器に略平らに均した状態に薄く収容でき、少ない乾燥日数で効率良く天日乾燥することができる。
【００１０】
請求項３に記載の発明によれば、定量枡の仕切板による処理汚泥の分断作用により乾燥用容器内により一層満遍なく略均一に均した状態に落下収容することができる。また、定量枡を仕切板で格子状に形成しておくと、処理汚泥を収容して集積槽の下方位置から乾燥用容器の上方位置に搬送するとき振動により処理汚泥が定量枡内で乱動したり片寄ったりするのを防止できる。
【発明を実施するための最良の形態】
【００１１】
本発明の好適な実施形態を図面に基づき説明する。図１は本発明の方法を実施できる自動搬入装置の正面図、図２（ａ），（ｂ），（ｃ）は図１の自動搬入装置の作動説明図、図３は乾燥用容器の分解斜視図、図４（ａ）は定量枡の平面図、図４（ｂ）は図４（ａ）中における矢印Ｃから見た一部正面図である。
【００１２】
本発明の乾燥用容器への処理汚泥の自動搬入方法は、例えば図３図に示すような乾燥用容器１を使用する。この乾燥用容器１は、砂の通過を阻止し且つ水及び空気の通過を許容する濾布２が上面開放状の多孔容器本体３の内部に敷設されてなる。多孔容器本体３は、細い鉄筋で大きい篭目を形成するよう四角形の浅い皿状に編組して作った籠や、透明なプラスチック材で多数の孔を有する四角形の浅い皿形状に成形したものなどからなる。濾過容器１の大きさや形状は、特に限定されないが、例えば、縦２ｍ、横３ｍ、高さ２０ｃｍ程度の大きさのものを使用する。
【００１３】
本発明に係る乾燥用容器への処理汚泥の自動搬入方法は、予め、スクリュープレス脱水機等で含水率８２〜８６％程度にまで脱水処理された処理汚泥を、次のような自動搬入装置を用いて乾燥用容器１に自動搬入する。
すなわち、本発明に係る乾燥用容器への処理汚泥の自動搬入装置は、図１、図４に示すように、処理汚泥４が集積される集積槽５と、搬入作業定位置Ａに配置した上記乾燥用容器１と、乾燥用容器１の床面積及び深さ（高さ）と同一もしくは略同一の床面積及び深さ（高さ）を持ち且つ底開放状の定量枡６と、この定量枡６の開放底６ａを開閉するよう該開放底６ａに配備したスライド板７と、定量枡６をスライド板７ごと乾燥用容器１の上方位置（前進位置）と集積槽５の下方位置（後退位置）との間で進退移動させる定量枡搬送装置８とを備える。
【００１４】
集積槽５は、乾燥用容器１の四角形断面と略同じ大きさの四角形断面をもつ角筒状に形成され、その下部に開放される底開口部５ａをシャッター９で開閉可能にしている。
定量枡６は、図４（ａ）に示すように乾燥用容器１の四角形断面と略同じ大きさの四角形に組合せた枠６１と、この枠６１内を縦横に仕切る仕切板６２とで、格子状に且つ乾燥用容器１の床面積及び深さ（高さ）と同一もしくは略同一の床面積及び深さ（高さ）を有する大きさに形成している。スライド板７は定量枡６の開放底６ａを閉じる状態から操作シリンダー等のアクチュエータで引き出すことにより開放底６ａが開けられるようにしている。
【００１５】
定量枡搬送装置８は、例えば、図４（ａ），（ｂ）に示すように、定量枡６の両サイドにラック１０を固定し、このラック１０にピニオン１１を噛合させて、ピニオン１１を正逆回転させることにより定量枡６はラック１０ごと乾燥用容器１の上方位置と集積槽５の下方位置との間で進退移動するようにする。ピニオン１１とラック１０の組合せ以外に、その他の、回転運動を直線運動に変える機構、あるいはコンベヤ等で定量枡６を進退移動させることもできる。
【００１６】
かくして、図２（ａ）のように、定量枡６及びこの開放底６ａを閉じたスライド板７が集積槽５の下方位置にあるとき、集積槽５のシャッター９を開けると、集積槽５の底開口部５ａから処理汚泥４が乾燥用容器１の収容容量に見合う量だけまとまって一時に定量枡６内に落し込み収容される。収容後、図２（ｂ）のように集積槽５の底開口部５ａをシャッター９で閉じ、処理汚泥４の入った定量枡６をスライド板７ごと乾燥用容器１の上方位置にまで定量枡搬送装置８（図４（ａ），（ｂ）参照）により搬送する。その際、処理汚泥４は定量枡６の枠６１内の仕切板６２で細かく仕切られた各区画内に収容されているので、振動により処理汚泥４が定量枡６内で乱動したり片寄ったりするのを防止できる。
【００１７】
搬送後、図２（ｃ）のように、スライド板７を定量枡６の開放底６ａから集積槽５の下方位置にまで引き出して開放底６ａを開ける。すると、定量枡６の開放底６ａから処理汚泥４が乾燥用容器１の収容容量に見合う量だけ一まとめにしてどさりと乾燥用容器１に落下して収容される。これにより処理汚泥４の上面全体が平らに均された状態に乾燥用容器１に収容される。また、定量枡６の仕切板６２による処理汚泥４の分断作用により乾燥用容器１内により一層満遍なく略均一に均した状態に落下収容することができる。定量枡６の開放底６ａから処理汚泥４全体を一時に乾燥用容器１に落下させるにはスライド板７をできる限り速やかに開けることが好ましい。最後に、図１のように空の定量枡６を集積槽５の下方位置にあるスライド板７上に戻すことにより搬入作業を終了する。
【００１８】
上記のように処理汚泥９が上面を平らに均した状態に収容された乾燥用容器１は、図５に示す汚泥脱水乾燥装置のリフター装置２５Ｌに移載して天日乾燥に供すると、少ない乾燥日数で効率良く天日乾燥することができる。
【図面の簡単な説明】
【００１９】
【図１】本発明の方法を実施できる自動搬入装置の正面図である。
【図２】（ａ），（ｂ），（ｃ）は図１の自動搬入装置の作動説明図である。
【図３】乾燥用容器の分解斜視図である。
【図４】（ａ）は定量枡の平面図、（ｂ）は図４（ａ）中における矢印Ｃから見た一部正面図である。
【図５】従来例の汚泥脱水乾燥装置の正面図である。
【符号の説明】
【００２０】
１  乾燥用容器
４  処理汚泥
５  集積槽
５ａ  底開口部
６  定量枡
６ａ  開放底
６１  枠
６２  仕切板
７  スライド板
８  定量枡搬送装置
９  シャッター
【図１】
2007160213.tif 000003
【図２】
2007160213.tif 000004
【図３】
2007160213.tif 000005
【図４】
2007160213.tif 000006
【図５】
2007160213.tif 000007